(57)【要約】【課題】電動機を分解することなく、簡単な方法で電動機の特性を向上することが出来る整流子電動機を提供することを課題とする。【解決手段】整流子１０を設けたロータ３とステータ２とを内蔵したブラケット１、或いは整流子１０に接触して通電されるブラシ１１を設けたブラシ保持具１２に長孔１８を形成し、ブラシ１１をロータ３の回転方向に移動させることでロータ３とステータ２との導通角度を変更して入力値が最大になるところで固定するようにした。【選択図】        図４
2004304863.tif 000002
【特許請求の範囲】
【請求項１】
整流子を設けたロータとステータとを内蔵したブラケットと、該ブラケットに設けられ前記整流子に接触して通電されるブラシとを備え、前記ブラケットにブラシを保持するブラシ保持具を設け、該ブラシ保持具は前記ブラシを移動可能に形成したことを特徴とする整流子電動機。
【請求項２】
前記ブラシ保持具の前記ブラケットが取り付けられる部分には、前記ロータの回転方向に長孔を形成したことを特徴とする請求項１記載の整流子電動機。
【請求項３】
前記ブラケットの前記ブラシ保持具が取り付けられる部分には、前記ロータの回転方向に長孔を形成したことを特徴とする請求項１記載の整流子電動機。
【請求項４】
前記ブラシは、前記長孔に狭持するネジによって係止されることを特徴とする請求項２又は請求項３記載の整流子電動機。
【請求項５】
前記長孔の内側に段部を形成したことを特徴とする請求項２又は請求項３記載の整流子電動機。
【請求項６】
前記ステータに設けられたステータ巻線と、該ステータ巻線と前記ブラシとを電気的に接続するためのターミナルをブラシ保持具に設け、前記ブラシ保持具には、前記ステータ巻線がターミナルに接続される直線上に突出部を形成したことを特徴とする請求項１記載の整流子電動機。
【請求項７】
前記突出部は、前記ブラシ保持具に一体成形したことを特徴とする請求項６記載の整流子電動機。
【発明の詳細な説明】
【０００１】
【発明の属する技術分野】
本発明は、電動機に関し、詳しくは整流子に対しブラシによって通電することで駆動する整流子電動機に関する。
【０００２】
【従来の技術】
従来の整流子電動機は、ブラケットの周壁部に作業孔とねじ孔を形成し、組み立てた際に入力値が良好な時はステータコアを回転移動させること無くステータコアの圧入箇所のくぼみ部に合うねじ孔にねじを取り付けて締め付ける。しかし、入力値が規格よりも小さい場合には作業孔からドライバーなどによってステータコアを回転移動させ、入力値の高い所でねじによって組み付けることによって、入力値が高くなるようにした整流子電動機が知られている。
【０００３】
しかしながら、このような整流子電動機の場合、ロット間でのばらつきの防止にはなるが、電動機の効率を全体的に上げようとする場合には適切ではなかった。
【０００４】
【特許文献１】
特開平４−３３１４４３号公報（図１）
【０００５】
【発明が解決しようとする課題】
本発明は、電動機を分解することなく、簡単な方法で電動機の特性を向上することが出来る整流子電動機を提供することを目的とする。
【０００６】
【課題を解決するための手段】
上記課題を解決する手段として、整流子を設けたロータとステータとを内蔵したブラケットと、該ブラケットに設けられ前記整流子に接触して通電されるブラシとを備え、前記ブラケットにブラシを保持するブラシ保持具を設け、該ブラシ保持具は前記ブラシを移動可能に形成したことを特徴とする。
【０００７】
また、前記ブラケットの前記ブラシ保持具が取り付けられる部分には、前記ロータの回転方向に長孔を形成したことを特徴とする。
【０００８】
そして、前記ブラシ保持具の前記ブラケットが取り付けられる部分には、前記ロータの回転方向に長孔を形成したことを特徴とする。
【０００９】
更に、前記ブラシは、前記長孔に狭持するネジによって係止されることを特徴とする。
【００１０】
そして、前記長孔の内側に段部を形成したことを特徴とする。
【００１１】
また、前記ステータに設けられたステータ巻線と、該ステータ巻線と前記ブラシとを電気的に接続するためのターミナルをブラシ保持具に設け、前記ブラシ保持具には、前記ステータ巻線がターミナルに接続される直線上に突出部を形成したことを特徴とする。
【００１２】
そして、前記突出部は、前記ブラシ保持具に一体成形したことを特徴とする。
【００１３】
上記構成により、ブラケット内にロータとステータとを組み込み、ブラシをブラシ保持具によって取り付けた際、電動機の入力値が所定の値に達しないときはブラシをロータの回転方向に移動させることでロータとステータとの導通角度を変更することができ、入力値が最大になるところで固定することができる。
【００１４】
また、ブラシの位置を移動させる際、ブラケット、又はブラシ保持具に形成した長孔内でブラシを移動させることで、入力値が最大になったところでネジによって挟持する。
【００１５】
また、前記長孔の内側に段部を形成し、ブラシを移動させる際に段階的に移動させることができる。
【００１６】
更に、ブラシ保持具には、ステータ巻線がターミナルに接続される直線上に突出部を形成し、ステータ巻線とターミナルとを接続した際にステータ巻線が突出部によって屈曲するように接続する。そして、ブラシを移動させる前に突出部からステータ巻線を外し、ステータ巻線を弛んだ状態にしてからブラシを移動させることによって、ブラシを簡単に移動させることができる。
【００１７】
【発明の実施の形態】
図１乃至図５に本発明の実施の形態を電気掃除機等に使用される整流子電動機を例に、以下、これらの図に基づき説明する。
【００１８】
１は、ステータ２とロータ３とを内蔵する円筒状のブラケットで、該ブラケット１の片側の底面には、ブラケット１の径よりも大きな径で吸気口４を形成したファンケーシング５が設けられている。
【００１９】
６は、前記ロータ３に固定されロータ３の回転とともに回転するファンで、該ファン６は、前記吸気口４より空気を吸い込みファンケーシング５内に設けたディフューザ７によって空気を整流してブラケット１内に空気を送るようになっている。
【００２０】
８は、前記ロータ３の回転軸であり、該回転軸８の先端にはナット９によって前記ファン６が固定されている。また、前記ロータ３のファン６と反対側には給電するための整流子１０が設けられている。そして、前記整流子１０に接触し電気的に接続されるカーボンからなるブラシ１１が前記ブラケット１に設けられており、前記ブラシ１１は樹脂製のブラシ保持具１２によって固定され、前記ブラシ保持具１２はブラケット１に形成されたネジ孔２０にネジ１３によって取り付けられている。
【００２１】
１４は、前記ブラシ１１を前記整流子１０に圧接するためのバネであり、該バネ１４はブラシ１１と共に金属製のスリーブ１５に嵌合されている。そして、前記スリーブ１５は、前記ブラシ保持具１２によって前記ブラケット１に固定されている。
【００２２】
１６は、前記ステータ２に設けられたステータ巻線であり、該ステータ巻線１６は、ブラシ保持具１２に設けられブラシ１１と電気的に接続されるターミナル１７に接続される。
【００２３】
１８は、前記ブラシ保持具１２に形成された長孔であり、該長孔１８には前記ブラケット１に固定される前記ネジ１３が挿入される。
【００２４】
次に、本願発明の電動機の組み立て方法について説明をする。
【００２５】
ブラケット１内にステータ２及びロータ３を組み込み、その後にブラシ保持具１２を取り付ける。この際、ネジ１３によって仮止めを行い、入力電圧を測定し、入力値が規定値よりも低い場合には、ブラシ１１を長孔１８に沿って左右いずれかに移動させることで導通角度を変えることができ、入力電圧が最大になる位置でネジ１３によって固定する。
【００２６】
本実施の形態によれば、ブラシ保持具１２に長孔１８を形成したが、ブラケット１側に長孔１８を形成してブラシ１１を動かすことで導通角度を変えるようにしても構わない。
【００２７】
次に、第２の実施の形態について説明する。
【００２８】
第２の実施の形態は、長孔１８の形状が第１の実施の形態と異なる部分であり、長孔１８の内側に複数個、本実施の形態では上下２箇所に段部１９を形成し、ブラシ保持具１２を移動させる際にクリック感が得られるようにしている。
【００２９】
次に、第３の実施の形態について説明する。
【００３０】
本実施の形態では、ブラシ保持具１２の形状を異ならせており、ステータ巻線１６をターミナル１７に接続する際にステータ巻線１６が直線状に接続できないよう、ブラシ保持具１２に一体的に突出部２１を形成している。
【００３１】
このように形成することにより、ブラシ保持具１２を仮止めした際にはステータ巻線１６が突出部２１によって屈曲するようにターミナル１７に接続される。そして、ブラシ保持具１２を左右に移動する前に突出部２１からステータ巻線１６を外してステータ巻線１６を弛ませ、ブラシ保持具１２の移動が自由に出来るようにする。
【００３２】
上述するように、この整流子電動機にあっては、組み立て後の電動機の入力値が良好な場合は、ブラシ保持具１２のネジ１３をブラケット１に固定できるようにそのまま締める。もし入力値が規格よりも低い場合は、ネジ１３を弛め、長孔１８の範囲でブラシ保持具１２をその回転方向へ少し回転移動させる。これによりステータ２とロータ３との相対位置を変化させる。そして、良好な入力値が得られると上記と同様にしてネジ１３を締める。また、入力値が規格よりも高い場合はブラシ保持具１２の回転移動方向を逆にすればよい。
【００３３】
【発明の効果】
本発明においては、整流子を設けたロータとステータとを内蔵したブラケットと、該ブラケットに設けられ前記整流子に接触して通電されるブラシとを備え、前記ブラケットにブラシを保持するブラシ保持部を設け、該ブラシ保持部は前記ブラシを移動可能に形成したので、ブラシをロータの回転方向に移動させることでロータとステータとの導通角度を変更することができ、入力値が最大になるところで固定することができる等の効果を奏する。
【００３４】
また、前記ブラケットの前記ブラシ保持部が取り付けられる部分には、前記ロータの回転方向に長孔を形成したので、簡単な構成でロータとステータとの導通角度を変更することが出来る等の効果を奏する。
【００３５】
そして、前記ブラシ保持具の前記ブラケットが取り付けられる部分には、前記ロータの回転方向に長孔を形成したので、簡単な構成でロータとステータとの導通角度を変更することが出来る等の効果を奏する。
【００３６】
更に、前記ブラシは、前記長孔に狭持するネジによって係止されるので、簡単な構成でロータとステータとの導通角度を変更することが出来、簡単に固定することが出来る等の効果を奏する。
【００３７】
そして、前記長孔の内側に段部を形成したので、ブラシ保持具を移動させる際にクリック感を持たせることが出来、ブラシ保持具を移動させやすくなる等の効果を奏する。
【００３８】
また、前記ステータに設けられたステータ巻線と、該ステータ巻線と前記ブラシとを電気的に接続するためのターミナルをブラシ保持具に設け、前記ブラシ保持具には、前記ステータ巻線がターミナルに接続される直線上に突出部を形成したので、ブラシ保持具を移動させる際にステータ巻線によって引っ張られて移動を阻止させられることが無く、簡単に移動させることが出来る等の効果を奏する。
【００３９】
そして、前記突出部は、前記ブラシ保持具に一体成形したので、簡単な構成で目的を達成することが出来る等の効果を奏する。
【図面の簡単な説明】
【図１】本発明の実施の形態を示す整流子電動機の一部を破断した側面図である。
【図２】同整流子電動機の側面図である。
【図３】同整流子電動機のブラケットの底面を破断した底面図である。
【図４】同整流子電動機のブラケットにブラシ保持具を取り付けた側面図である。
【図５】本発明の第２の実施の形態を示す整流子電動機のブラケットにブラシ保持具を取り付けた側面図である。
【図６】本発明の第３の実施の形態を示す整流子電動機のブラシ保持具の取り付け状態を示す要部側面図である。
【図７】同整流子電動機のブラシ保持具の取り付け状態を示す平面図である。
【符号の説明】
１０        整流子
３          ロータ
２          ステータ
１          ブラケット
１１        ブラシ
１２        ブラシ保持部
１８        長孔
１３        ネジ
１９        段部
１６        ステータ巻線
１７        ターミナル
２１        突出部
【図１】
2004304863.tif 000003
【図２】
2004304863.tif 000004
【図３】
2004304863.tif 000005
【図４】
2004304863.tif 000006
【図５】
2004304863.tif 000007
【図６】
2004304863.tif 000008
【図７】
2004304863.tif 000009